(57)【要約】      （修正有）【課題】開閉駆動部の給油量、給油回数を少なくし、又は無給油とし、耐久性と性能安定性を向上させた高圧真空遮断機を提供する。【解決手段】高圧真空遮断機の開閉駆動部を一面に備え、開閉駆動部の軸受けをオイルレス・ベアリングとしたことを特徴とする。これにより、一般のすべり軸受けでは、性能を維持できない厳しい条件下でも、オイルレス・ベアリングの優れた耐久性と性能安定性を発揮し、当該真空遮断器・駆動装置の性能維持に寄与できる。【選択図】図−１
0003192224.tif 000002
【実用新案登録請求の範囲】
【考案の詳細な説明】
【技術分野】
【０００１】この考案は、高圧真空遮断装置が開発・実用化されて４０余年になるが、各製造会社共、幾度となく  モデル・チェンジを繰り返していながら、外観の変更を加えているが、その操作機構自体は殆ど変えていない。
従って未だに真空遮断器の駆動部各所は、グリース・アップや、注油の必要があり、これらの保守・点検を怠れば真空遮断器の投入不良や、引き外し不良と言う致命的欠陥を起すことになります。
（図−６）は真空遮断装置・定期点検時の指定箇所への注油の一例
真空遮断器の駆動部は連続して複数回  回転する部分は殆ど無く、１度に回転する部分は３６０度までの角度であり、真空遮断器の開閉操作は検査や試験の時以外は殆ど動かされることがない。
【背景技術】
【０００２】最近の動向は、限定された時間内に、点検・試験することが常識であり、他の業務もそれに従った処理をする。                    即ち
（１）最近の設備の使用状況は
・短時間に点検・試験を実施する。（通常３０分程度）
・従ってやり直しが出来ない。（負荷製品の品質維持から）
（２）グリース・アップ  注油作業に充当する時間が非常にすくない。
・設備を停止することが難しい。
（３）社団法人日本電機工業会と各製造会社は、「点検と注油」及び注油間隔の厳守を指導されているが、現状では初期の効果を待待出来ない。
・グリース・アップでのトラブルが、真空遮断器故障の原因となる事も見受けられる。
【先行技術文献】
【特許文献】
【０００３】｛特許電子図書館｝・・・実用新案検索
受電設備・高電圧開閉器・駆動装置部注油又はオイルレス・ベアリング
条件でのヒット件数０件
【考案の概要】
【考案が解決しようとする課題】
【０００４】本考案に係わる真空遮断器・駆動装置のオイルレス・ベアリング化は、新しく開発された「給油量、給油回数を少なく出来る」または「無給油で使用できる」すべり軸受けを使用して、一般のすべり軸受けでは、性能を維持できない厳しい条件下でも、オイルレス・ベアリングの優れた耐久性と性能安定性を発揮し、当該真空遮断器・駆動装置の性能維持に下記のように寄与するものである。
（図−１）（図−３）（図−４）に示すように効果を得ることが出来る。
（１）給油装置・給油孔・油溝加工が不要
（２）ランニングコストの削減・・・点検時間の短縮と効率アップ
（３）メンテナンス・フリー
（４）給油が省けるので設計・構造が簡素化できる。
（５）駆動装置が高性能・長寿命化できる。
（６）油のリサイクルと環境保全が図れる
【課題を解決するための手段】
【０００５】真空遮断器・駆動装置を使用する場所・環境条件等に合わせて、適合するオイルレス・ベアリングを、リストの中から選定し当該駆動装置へ組み込み装置を完成して提供する。【０００６】オイルレス・ベアリングの種類
樹脂系・複層系・金属系・エア・ベアリング・スライドシフタ−ガイドユニット【０００７】各種条件に対応するベアリング
異物に強い・微少運動に適す・軸粗さの影響を受けにくい・相手材が樹脂の場合・軟質金属の軸にも適用可能・自動調芯用途・取り付けが容易【０００８】設計にあたって
オイレス・ベアリングの選定・設計の目安
＊［０００６］［０００７］［０００８］は一般社団法人日本電機工業会及び高圧真空遮断器製造企業が発行している、取り扱いカタログからの抜粋を転記、記載。
【図面の簡単な説明】
【図−１】オイルレス・ベアリング採用の効果
【図−２】オイルレス・ベアリングの種類
【図−３】この様な条件にはこのベアリングを（１）
【図−４】この様な条件にはこのベアリングを（２）
【図−５】設計について  （１）オイルレス・ベアリングの選定と・設計の目安  （２）環境温度の条件  製造企業各社は給油を基本に対策している。そこで余分な手当や対策を要求することになる。真空遮断器の駆動装置に集中して、問題解決をすれば、環境条件を特定することで、対策項目が簡略化されるし、対策条件が簡単になる。。
【図−６】は給油・注油の実施例
0003192224.tif 000003
【手続補正書】
【提出日】平成26年1月3日(2014.1.3)
【手続補正１】
【補正対象書類名】実用新案登録請求の範囲
【補正対象項目名】全文
【補正方法】変更
【補正の内容】
【実用新案登録請求の範囲】
【請求項１】
高圧電気設備に使用される、真空遮断器の開閉駆動部は、当該電気機器全体の機能の中で大きなウエイトを占めている。
従って、各製造会社共、その対策を、当該駆動部の機能維持に注力し、駆動部回転部分のグリース・アップや注油への対策を最優先させており、日本電機工業会‐技術資料も、その点を重点的に採用している点検基準を詳細に記述している。
これらは全て、回転部分の対策であり、日本電機工業会の点検基準は、保守点検に充分な時間と試験項目を、採用できる環境でのものである。
保守点検に対する社会の要求が、厳しく求められる現状に合った保安体制に組み替える必要がある。
保守点検作業を短時間に（３０分を要求されるところもある）
確実に実施できる、高圧真空遮断器を提供する。
【手続補正書】
【提出日】平成26年3月18日(2014.3.18)
【手続補正１】
【補正対象書類名】実用新案登録請求の範囲
【補正対象項目名】全文
【補正方法】変更
【補正の内容】
【実用新案登録請求の範囲】
【請求項１】
開閉駆動部を一面に備え、前記開閉駆動部の軸受けをオイルレス・ベアリングとしたことを特徴とする高圧真空遮断器。
【手続補正２】
【補正対象書類名】図面
【補正対象項目名】全図
【補正方法】変更
【補正の内容】
0003192224.tif 000004
【図−１】
0003192224.tif 000005
【図−２】
0003192224.tif 000006
【図−３】
0003192224.tif 000007
【図−４】
0003192224.tif 000008
【手続補正書】
【提出日】平成26年6月14日(2014.6.14)
【手続補正１】
【補正対象書類名】明細書
【補正対象項目名】全文
【補正方法】変更
【補正の内容】
【考案の詳細な説明】
【技術分野】
【０００１】この考案は、高圧真空遮断装置が開発・実用化されて４０余年になるが、各製造会社共、幾度となくモデル・チェンジを繰り返していながら、外観の変更を加えているが、その操作機構自体は殆ど変えていない。
従って未だに真空遮断器の駆動部各所は、グリース・アップや、注油の必要があり、これらの保守・点検を怠れば真空遮断器の投入不良や、引き外し不良と言う致命的欠陥を起す事になります。
（図−６）は真空遮断装置・定期点検時の指定箇所への注油の一例
真空遮断器の駆動部は連続して複数回  回転する部分は殆ど無く、一度に回転する部分は３６０度までの角度であり、真空遮断器の開閉操作は検査や試験の時以外は殆ど動かされることがない。
【背景技術】
【０００２】最近の動向は、限定された時間内に、点検・試験することが常識であり、他の業務もそれに従った処置をする。                      即ち
（１）最近の設備の使用状況は
・短時間に点検・試験を実施する。（通常３０分程度）
・従ってやり直しが出来ない。（負荷製品の品質維持から）
（２）グリース・アップ  注油作業に充当する時間が非常に少ない。
・設備を停止することが難しい。
（３）社団法人日本電機工業会と各製造会社は、「点検と注油」及び注油間隔の厳守を指導されているが、現状では初期の効果を期待出来ない。
・グリース・アップでのトラブルが、真空遮断器故障の原因となる事も見受けられる。
【先行技術文献】
【特許文献】
【０００３】  ｛特許電子図書館｝・・・実用新案検索
受電設備・高電圧開閉器・駆動装置部注油又はオイルレス・ベアリング条件でのヒット件数０件
【考案の概要】
【考案が解決しようとする課題】
【０００４】本考案に係わる真空遮断器・駆動装置のオイルレス・ベアリング化は、新しく開発された「給油量、給油回数を少なく出来る」または「無給油で使用できる」すべり軸受けを使用して、一般のすべり軸受けでは、性能を維持できない厳しい条件下でも、オイルレス・ベアリングの優れた耐久性と性能安定性を発揮し、当該真空遮断器・駆動装置の性能維持に下記のように寄与するものである。
（図−１）（図−３）（図−４）に示すように効果を得ることが出来る。
（１）給油装置・給油孔・油溝加工が不要
（２）ランニング・コストの削減・・・点検時間の短縮と効率アップ
（３）メンテナンス・フリー
（４）給油が省けるので設計・構造が簡素化できる。
（５）駆動装置が高性能・長寿命化できる。
（６）油のリサイクルと環境保全が図れる。
【課題を解決する為の手段】
【０００５】真空遮断器・駆動装置を使用する場所・環境条件に合わせて、適合するオイルレス・ベアリングを、リストの中から選定し当該駆動装置へ組み込み、装置を完成して提供する。
【０００６】オイルレス・ベアリングの種類
樹脂系・複層系・金属系  ・エア・ベアリング  ・スライドシフターガイドユニット
【０００７】各種条件に対応するベアリングの種類
異物に強い・微少運動に適す・軸粗さの影響を受けにくい・相手材が樹脂の場合・軟質金属の軸にも適用可能・自動調芯用途・取付けが容易
【０００８】設計にあたって
オイルレス・ベアリングの選定・設計の目安
＊［０００６］［０００７］［０００８］は一般社団法人日本電機工業会及び高圧真空遮断器製造企業が発行している、取り扱いカタログからの抜粋を転記、記載。
【図面の簡単な説明】
【０００９】
【図−１】オイルレス・ベアリング樹脂製軸受けシャフト
【図−２】オイルレス・ベアリング粗軸系軸受けシャフト
【図−３】オイルレス・ベアリング金属系ピストン及び・ホルダー（異物・微少運動・粗軸向け）
【図−４】オイルレス・ベアリング樹脂系軸受け及びシャフト（異物・微少運動・金属・樹脂向け）